【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
引違い窓または二枚引戸を含んだ建具システムの開閉装置であって、
可動窓の窓扉が窓枠に固定設置された上下部レールに沿ってスライディングされて開閉されるようにする下部の戸車部アセンブリ及び上部のレールガイドアセンブリと、
ガラス窓または板材を固定支持するように形成される可動窓の窓扉フレームであって、前記戸車部アセンブリと分離形成されて前記戸車部アセンブリの上に置かれて、そして前記レールガイドアセンブリと分離されて前記レールガイドアセンブリの下に置かれる可動窓の窓扉フレームと、
分離された前記可動窓の窓扉フレームと戸車部アセンブリとの間、そして分離された前記可動窓の窓扉フレームとレールガイドアセンブリとの間を連結するように各々に提供される連結部材と、
前記連結部材にレール進行方向に垂直になる変位成分を含んだ相対変位を起こすことができるように、窓枠レール上の任意の位置で前記戸車部アセンブリ及びレールガイドアセンブリにレール進行方向に平行した方向成分を含んだ移動力が印加できるように、前記可動窓の窓扉フレームに設置される開閉作動手段を含んでなることを特徴とする引違い建具システムの開閉装置。
【請求項２】
前記連結部材として相互分離された前記可動窓の窓扉フレームと戸車部アセンブリとの間、そして相互分離された前記可動窓の窓扉フレームとレールガイドアセンブリとの間を各々連結するように、傾斜ガイド溝及びガイド突起が提供され、そして、前記開閉作動手段は、前記傾斜ガイド溝とガイド突起との間にレール進行方向に垂直になる変位成分を含んだ相対変位を起こすことができるように、窓枠レール上の任意の位置で前記戸車部アセンブリ及びレールガイドアセンブリにレール進行方向に平行した方向成分を含んだ移動力が印加できるように、前記可動窓の窓扉フレームに設置されることを特徴とする請求項１に記載の引違い建具システムの開閉装置。
【請求項３】
相互分離された前記可動窓の窓扉フレームと前記戸車部アセンブリとの間を連結するように提供される前記傾斜ガイド溝は、前記戸車部アセンブリの上部板に形成され、そして前記傾斜ガイド溝に嵌められて傾斜方向のスライディング移動をする前記ガイド突起は、前記可動窓の窓扉フレームに下向き突出形成されることを特徴とする請求項２に記載の引違い建具システムの開閉装置。
【請求項４】
相互分離された前記可動窓の窓扉フレームと前記レールガイドアセンブリとの間を連結するように提供される前記傾斜ガイド溝は、前記レールガイドアセンブリの下部板に形成され、そして前記傾斜ガイド溝に嵌められて傾斜方向のスライディング移動をする前記ガイド突起は、前記可動窓の窓扉フレームに上向き突出形成されることを特徴とする請求項２に記載の引違い建具システムの開閉装置。
【請求項５】
相互分離された前記可動窓の窓扉フレームと前記戸車部アセンブリとの間を連結するように提供される前記傾斜ガイド溝は、前記可動窓の窓扉フレームに形成され、そして前記傾斜ガイド溝に嵌められて傾斜方向のスライディング移動をする前記ガイド突起は、前記戸車部アセンブリの上部板に上向き突出形成されることを特徴とする請求項２に記載の引違い建具システムの開閉装置。
【請求項６】
相互分離された前記可動窓の窓扉フレームとレールガイドアセンブリとの間を連結するように提供される前記傾斜ガイド溝は、前記可動窓の窓扉フレームに形成され、そして前記傾斜ガイド溝に嵌められて傾斜方向のスライディング移動をする前記ガイド突起は、前記レールガイドアセンブリの下部板に下向き突出形成されることを特徴とする請求項２に記載の引違い建具システムの開閉装置。
【請求項７】
前記開閉作動手段は、可動窓の窓扉の上部構造と下部構造とにおいて、前記戸車部アセンブリ及びレールガイドアセンブリに各々互いに同一な横方向の移動力を提供するように形成され、そして前記可動窓の窓扉の上部構造に形成される前記傾斜ガイド溝と下部構造に形成される前記傾斜ガイド溝は、平面上から見て、傾斜方向が同一に形成されることを特徴とする請求項２に記載の引違い建具システムの開閉装置。
【請求項８】
前記開閉作動手段は、可動窓の窓扉の上部構造と下部構造とにおいて、前記戸車部アセンブリ及びレールガイドアセンブリに各々互いに左右反対になる方向の移動力を提供するように形成され、そして前記可動窓の窓扉の上部構造に形成される前記傾斜ガイド溝と下部構造に形成される前記傾斜ガイド溝は、平面上から見て傾斜方向が左右反対になる対称構造を有することを特徴とする請求項２に記載の引違い建具システムの開閉装置。
【請求項９】
前記開閉作動手段は、
前記可動窓の窓扉の側面フレームに縦方向に設置され、回転取っ手を具備した回転軸部材と、
前記回転軸部材の回動を可動窓の上部及び下部構造で往復動に変換させるためのものであって、前記戸車部アセンブリの上部板及びレールガイドアセンブリの下部板に各々リンク連結されるコネクティングロッド部材と、
前記回転軸部材の回転により前記コネクティングロッド部材が前記戸車部アセンブリの上部板及びレールガイドアセンブリの下部板を下部レール及び上部レールに平行した変位成分を有し、同一な方向に同時に移動するように押し引きできるように、回転軸部材の上段と下段に結合される回動端部材であって、前記回転軸部材の上段と下段の同一な位置に一端が固定結合され、他端は前記コネクティングロッド部材にリンク結合される回動端部材と、
を含んでなることを特徴とする請求項７に記載の引違い建具システムの開閉装置。
【請求項１０】
前記開閉作動手段は、
前記可動窓の窓扉の側面フレームに縦方向に設置され、回転取っ手を具備した回転軸部材と、
前記回転軸部材の回動を可動窓の上部及び下部構造で往復動に変換させるためのものであって、前記戸車部アセンブリの上部板及びレールガイドアセンブリの下部板に各々リンク連結されるコネクティングロッド部材と、
前記回転軸部材の回転により前記コネクティングロッド部材が前記戸車部アセンブリの上部板及びレールガイドアセンブリの下部板を下部レール及び上部レールに平行した変位成分を有し、反対方向に同時に移動するように押し引きできるように、回転軸部材の上段と下段に結合される回動端部材であって、前記回転軸部材の上段と下段の互いに対称する反対になる位置に一端が固定結合され、他端は前記コネクティングロッド部材にリンク結合される回動端部材と、
を含んでなることを特徴とする請求項８に記載の引違い建具システムの開閉装置。
【請求項１１】
前記開閉作動手段は、
可動窓の窓扉の側面フレームに上下移動可能に縦方向に設置される側面スライディングバーと、
前記側面スライディングバーを上下に移動させるための作動力を印加するために設置される回転取っ手と、
回転取っ手の回動を側面スライディングバーの上下往復動に変換させるために設置されるギア機構と、
前記側面スライディングバーの上段及び下段と連結されて、可動窓の窓扉の上部または下部に往復動を伝達する弾性スライダと、
前記弾性スライダと連動するように可動窓の窓扉の上部及び下部に水平方向に設置される上部及び下部スライディングバーと、
上部及び下部スライディングバーをレールガイドアセンブリの下部板及び前記戸車部アセンブリの上部板に各々リンク連結させるコネクティングロッド部材と、
を含んでなることを特徴とする請求項８に記載の引違い建具システムの開閉装置。
【請求項１２】
前記開閉作動手段は、
可動窓の窓扉の側面フレームに上下移動可能に縦方向に設置される側面スライディングバーと、
前記側面スライディングバーを上下に移動させるための作動力を印加するために設置される回転取っ手と、
回転取っ手の回動を側面スライディングバーの上下往復動に変換させるために設置されるギア機構と、
側面スライディングバーの上下移動変位を可動窓の窓扉の上部及び下部構造での横方向変位にその方向を変換しながら伝達するように可動窓の窓扉の上部及び下部の隅部分で設置される関節リンク部材と、
前記関節リンク部材をレールガイドアセンブリの下部板及び前記戸車部アセンブリの上部板に各々リンク連結させるコネクティングロッド部材と、
を含んでなることを特徴とする請求項８に記載の引違い建具システムの開閉装置。
【請求項１３】
前記傾斜ガイド溝には、レール進行方向に傾斜して形成される中央の傾斜型区間と、そして前記傾斜型区間の一側または両側にレール進行方向に平行するように形成される平行直線型区間が複合的に形成されることを特徴とする請求項２乃至１２のうち、いずれか１つに記載の引違い建具システムの開閉装置。
【請求項１４】
前記傾斜ガイド溝には中央の第１傾斜型区間が形成され、その一側には前記第１傾斜型区間と反対方向に傾斜した第２傾斜型区間が形成されることを特徴とする請求項２乃至１２のうち、いずれか１つに記載の引違い建具システムの開閉装置。
【請求項１５】
前記可動窓の窓扉フレームと前記戸車部アセンブリとの間の境界面に集中的な摩擦力の発生を防止して摩擦抵抗を低めることができるように介されるシート型潤滑手段をさらに含んでなることを特徴とする請求項１乃至１４のうち、いずれか１つに記載の引違い建具システムの開閉装置。
【請求項１６】
前記シート型潤滑手段は、フッ化炭素複合体、ポリオキシメチレン、ナイロンモノマ、ＭＣナイロン、高分子ポリエチレン、及びテフロン（登録商標）を含むグループから選択される一つ以上の成分を主原料にする自己潤滑性がある材料を含んで形成されるシート型摺動ベアリングから構成されることを特徴とする請求項１５に記載の引違い建具システムの開閉装置。
【請求項１７】
前記可動窓の窓扉の上部フレームの上のレールガイドアセンブリ、及び前記可動窓の窓扉の下部フレームの下の戸車部アセンブリに、可動窓の窓扉フレームがレール進行方向に対して垂直になる変位成分を含んで前後方向に移動する時、可動窓の窓扉フレームとレールガイドアセンブリの下部板との間、及び可動窓の窓扉フレームと戸車部アセンブリの上部板との間に過度な離隔変位が発生して窓扉フレームが脱去しないように離脱防止板がさらに設置されることを特徴とする請求項１乃至１６のうち、いずれか１つに記載の引違い建具システムの開閉装置。
【請求項１８】
窓枠と密接に接触してその密閉性を達成しなければならない可動窓の窓扉フレーム部分を下部の戸車部アセンブリ及び上部のレールガイドアセンブリと分離形成し、可動窓の窓扉フレームと戸車部アセンブリとの間、及び可動窓の窓扉フレームとレールガイドアセンブリとの間に各々連結部材を設置して、可動窓の窓扉フレームと戸車部アセンブリとの間、及び可動窓の窓扉フレームとレールガイドアセンブリとの間を相互連結させるステップと、
開閉作動手段を作動させることによって、窓枠レール上の任意の位置で戸車部アセンブリ及びレールガイドアセンブリから連結部材の傾斜方向のスライディングを誘発するステップと、
前記連結部材の傾斜方向のスライディングにより戸車部アセンブリ及びレールガイドアセンブリから分離された可動窓の窓扉フレームが窓枠のレール進行方向に対して垂直になる変位成分を含んで前後方向に移動されて窓枠の間に介される封入部材と同一な圧力及び同一な方向に接するようになるか、封入部材から分離離隔して可動窓の開閉がなされるようにするステップと、
を含むことを特徴とする引違い建具システムの開閉方法。
【請求項１９】
窓枠と密接に接触して、その密閉性を達成しなければならない可動窓の窓扉フレーム部分を下部の戸車部アセンブリ及び上部のレールガイドアセンブリと分離形成し、可動窓の窓扉フレームと戸車部アセンブリとの間、及び可動窓の窓扉フレームとレールガイドアセンブリとの間に各々傾斜ガイド溝及びガイド突起を形成し、傾斜ガイド溝内にガイド突起が嵌められるように結合することにより、可動窓の窓扉フレームと戸車部アセンブリとの間、及び可動窓の窓扉フレームとレールガイドアセンブリとの間を相互連結させる第１ステップと、
開閉作動手段を作動させることによって、窓枠レール上の任意の位置で戸車部アセンブリ及びレールガイドアセンブリで傾斜ガイド溝及びガイド突起の間の傾斜方向のスライディングを誘発する第２ステップと、
戸車部アセンブリ及びレールガイドアセンブリから分離された可動窓の窓扉フレームが窓枠のレール進行方向に対して垂直になる変位成分を含んで前後方向に移動されて窓枠の間に介される封入部材と同一な圧力及び同一な方向に接するようになるか、封入部材から分離離隔して可動窓の開閉がなされるようにする第３ステップと、
を含むことを特徴とする引違い建具システムの開閉方法。
【請求項２０】
前記第１ステップで前記可動窓の窓扉フレームと前記戸車部アセンブリとの間の境界面にシート型潤滑手段が提供されて、前記第３ステップで可動窓の窓扉フレームが窓枠のレール進行方向に対して垂直になる変位成分を含んで前後方向に移動する時、集中的な摩擦力の発生を防止して摩擦抵抗を低めることができることを特徴とする請求項１９に記載の引違い建具システムの開閉方法。